(57)【特許請求の範囲】
【請求項１】
変位を検出するための変位検出用スイッチと前記スイッチを嵌挿するケーシングと該ケーシングから立ちあげたスイッチ保持用ツメからなるスイッチ保持部材において、スイッチ保持用ツメがスイッチに当接する面においてスイッチがケーシングに付勢されるような曲面構造とした、ことを特徴とする変位検出用スイッチ。
【請求項２】
該スイッチ保持用ツメに弾性を持たせる構造とした、ことを特徴とする請求項１記載の変位検出用スイッチ。
【請求項３】
該スイッチ保持用ツメがスイッチに当接する面において、スイッチ本体に感圧部の方向より加重がかかった場合には、スイッチ保持用ツメの弾性によって荷重が吸収される構造とした、ことを特徴とする請求項１記載の変位検出用スイッチ。
【請求項４】
請求項１〜３の何れかに記載の変位検出用スイッチが温水洗浄便座の位置検出手段である、ことを特徴とする温水洗浄便座。
【請求項５】
請求項４に記載の変位検出用スイッチが温水洗浄便座の着座検出手段である、ことを特徴とする請求項４記載の温水洗浄便座。
【発明の詳細な説明】
【０００１】
【発明の属する技術分野】
本発明は、主に、温水洗浄便座に使用する変位検出用スイッチ及び該スイッチを利用した温水洗浄便座に関する。
【０００２】
【従来の技術】
従来の便座の変位検出用スイッチを図８を参照しながら説明すると、スイッチ本体１を保持するスイッチ保持用ケーシング３の一端を形成するスイッチ保持用ツメ２の下端の形状が平面かつスイッチ本体１の上部に平行であった。また、スイッチ保持用ツメ２に挾まれた空間部にスイッチ本体１を挿入するためスイッチ保持用ツメ２とスイッチ本体１との間に間隙４が生じざるをえなかった。
【０００３】
さらに、スイッチ本体１の外形の寸法公差が大きく、寸法がばらつくため、大きめのスイッチ本体１を嵌挿した場合は、ツメがひっかからずに脱落するということもあった。
【０００４】
【発明が解決しようとする課題】
以上述べてきたように、このような従来のスイッチ本体の保持構造では、スイッチ本体の外形の寸法公差が大きく、寸法がばらつくため、大きめのスイッチ本体を嵌挿した場合は、ツメがひっかからなかったり、小さめのスイッチ本体を嵌挿した場合は、スイッチ本体とスイッチ保持用ツメとの間に間隙が生じたりするため、スイッチ本体の感圧部の位置にばらつきが生じ、スイッチの検出精度を低下させてしまうという問題があった。
【０００５】
また、何らかの理由でスイッチ本体の感圧部に、下方からの過荷重が印加された場合、荷重を逃がす構造になっていないため、スイッチの破損につながるという問題もあった。
【０００６】
そこで、本発明はこのような問題点に着目してなされたもので、スイッチ本体に下方から過荷重が印加された場合においても、スイッチの検出精度を低下させることなく、荷重を逃がせる構造になっている変位検出用スイッチを提供することを目的とする。
【０００７】
【課題を解決するための手段】
上記目的を達成するために、請求項１記載の発明では、変位を検出するための変位検出用スイッチと前記スイッチを嵌挿するケーシングと該ケーシングから立ちあげたスイッチ保持用ツメからなるスイッチ保持部材において、スイッチ保持用ツメがスイッチに当接する面においてスイッチがケーシングに付勢されるような曲面構造としたことを特徴とする。
【０００８】
請求項２記載の発明では、請求項１記載の変位検出用スイッチにおいて、該スイッチ保持用ツメに弾性を持たせる構造としたことを特徴とする。
【０００９】
【課題を解決するための手段】
請求項３記載の発明では、請求項１記載の変位検出用スイッチにおいて、該スイッチ保持用ツメがスイッチに当接する面において、スイッチ本体に感圧部の方向より加重がかかった場合には、スイッチ保持用ツメの弾性によって荷重が吸収される構造としたことを特徴とする。
【００１０】
請求項４記載の発明では、請求項１から３の何れかに記載の変位検出用スイッチが温水洗浄便座の位置検出手段であることを特徴とする。
【００１１】
請求項５記載の発明では、請求項４記載の温水洗浄便座において、請求項４に記載の変位検出用スイッチが温水洗浄便座の着座検出手段であることを特徴とする。
【００１２】
このため、本発明では、上記のようなスイッチ本体の保持方法においては、スイッチ本体がスイッチ保持用ツメの弾性により、常に一定の力で下方に押しつけられるため、スイッチ本体の保持の安定性を保証し、スイッチ本体の感圧部の位置を一定とし、スイッチの検出精度の低下を防ぐことができる。
【００１３】
また、本発明では、何らかの理由でスイッチ本体に下方から過荷重が印加された場合には、スイッチ本体は、スイッチ保持用ツメを押し広げて上方へ移動し、荷重を逃がしてスイッチ本体の破損を防止することができる。
【００１４】
【発明の実施の形態】
以下、本発明になる変位検出用スイッチおよび該変位検出用スイッチを適用した温水洗浄便座の実施形態を図面に基づいて説明する。
【００１５】
図１に、本発明の変位検出用スイッチの実施形態を示す。
【００１６】
本発明になる変位検出用スイッチは、スイッチ本体１、感圧部１ａ、スイッチ保持用ツメ２、スイッチ保持用ケーシング３、押圧板５および弾性体６とから構成されている。
【００１７】
スイッチ本体１は、好適にはプラスチック成型品、例えば、ＡＢＳ，ＰＢＴ、ＰＰ，ゴム等の弾性体または、金属の薄板により製作される。そして該スイッチ本体１は、図１の平面図である図２に示すような円筒形の形状に形成されるスイッチ保持用ケーシング３の内部に挿入され、構成される。さらに、該スイッチ本体１は、該スイッチ保持用ケーシング３の上部を形成し、自らの弾性で該スイッチ本体１の上部に対し、曲面部２ａで当接するような寸法とした２本のスイッチ保持用ツメ２の間に嵌挿され、構成される。
【００１８】
感圧部１ａは、スイッチ本体１の下部に形成されており、該感圧部１ａに対し、押圧板５を介して下方からの力が加わらない場合はスイッチ本体１のスイッチは，ｏｆｆであり、下方からの力が加わり、該押圧板５が上方に押し上げられると、スイッチ本体１のスイッチは，ｏｎとなるように構成されている。
【００１９】
スイッチ保持用ケーシング３は、その下部を形成する台座部の上面を介して、便座８と固定され、構成されている。
【００２０】
弾性体６は、押圧板５の下部に当接し、該押圧板５を包含しながらスイッチ保持用ケーシング３の下部と接合され、構成されている。該弾性体６は、下部が便器１１の上面と接触するようになっており、該下部が該便器１１の上面と接触すると上方に変位し、該押圧板５を押し上げ、スイッチ本体１をｏｎとするように構成されている。
【００２１】
図３に、本発明の変位検出用スイッチを、温水洗浄便座の着座検出用手段として用いた場合における温水洗浄便座の実施形態の構成を示す。
【００２２】
本発明に係る温水洗浄便座は、ふた７、便座８、温水洗浄便座本体９、着座検出用スイッチ１０、便器１１および操作部１２とから構成されている。
【００２３】
該着座検出用スイッチ１０は、図４に示す便座８の裏面に固定されており、該便座８に使用者が着座すると、着座状態を検知するように構成されている。
【００２４】
尚、図５は、図４のＡＡ断面図、図６は図５のＢＢ断面図である。リード線１３は、着座スイッチ１０のオン、オフ情報伝達手段として使用している。
【００２５】
次に、図１のように構成された本実施形態になる変位検出用スイッチの動作について説明する。
【００２６】
スイッチ本体１は、スイッチ保持用ツメ２の曲面部２ａが該スイッチ１の上部に当接しているため、スイッチ保持用ツメ２が内側に閉じようとする弾性力によってスイッチ保持用ケーシング３に常に押しつけられる。したがって、図８で示される従来の実施例で生じていた、スイッチ保持用ツメ２とスイッチ本体１との間の間隙４をゼロとすることができる。
【００２７】
また、便座８に使用者が着座した際に、何らかの理由でスイッチ本体１に対し許容値を越える過荷重が印加された場合には、該スイッチ本体１は、スイッチ保持用ツメ２の曲面部２ａに沿うようにスイッチ保持用ツメ２を押し広げて上方に移動するため、スイッチ本体の破損を防止することができる。
【００２８】
次に、変位検出用スイッチの他の実施形態を示す。
【００２９】
図７に本発明の変位検出用スイッチを、操作部１２のスイッチとして用いた場合における実施形態の変位検出用スイッチの取付構成図を示す。
【００３０】
該実施形態に係る変位検出用スイッチは、スイッチ本体１、感圧部１ａ、スイッチ保持用ツメ２、スイッチ保持用ケーシング３および操作パネル１４とから構成されている。
【００３１】
操作部１２のパネルスイッチとして機能する該変位検出用スイッチは、操作パネル１４を使用者が押下することによって、感圧部１ａも押下されスイッチ本体１がｏｎとなる。また、操作パネル１４から何らかの理由でスイッチ本体１に対し許容値を越える過荷重が印加された場合には、該スイッチ本体１は、スイッチ保持用ツメ２の曲面部２ａに沿うようにスイッチ保持用ツメ２を押し広げて下方に移動するため、スイッチ本体の破損を防止することができる。
【００３２】
【発明の効果】
以上説明したように、本発明では、以下のような効果が得られる。
【００３３】
スイッチ本体は、その上部が、スイッチ保持用ツメの曲面部に当接しているため、スイッチ保持用ツメが内側に閉じようとする弾性力によってスイッチ保持用ケーシングに常に押しつけられる。したがって、従来の実施例で生じていた、スイッチ保持用ツメとスイッチ本体との間の間隙をゼロとすることができ、そのため、スイッチ本体の保持の安定性を保証し、スイッチ本体の感圧部の位置を一定とし、スイッチの検出精度の低下を防ぐことができる。
【００３４】
また、本発明では、何らかの理由でスイッチ本体に下方から過荷重が印加された場合、スイッチ本体は、スイッチ保持用ツメを押し広げて上方へ移動し、荷重を逃がす構造となっているためスイッチの破損を防止することができる。
【図面の簡単な説明】
【図１】本発明になる変位検出用スイッチの構成図である。
【図２】図１に示す変位検出用スイッチの平面図である。
【図３】本発明になる変位検出用スイッチを、温水洗浄便座の着座検出用手段として用いた場合における温水洗浄便座の概観図である。
【図４】便座裏面を示す底面図である。
【図５】図４に示すＡＡ断面図である。
【図６】図５に示すＢＢ断面図である。
【図７】本発明になる変位検出用スイッチを位置検出手段として用いた場合の取付構成図である。
【図８】従来の変位検出用スイッチの構成を示す構成図である。
【図１】
0003759218.tif 000002
【図２】
0003759218.tif 000003
【図３】
0003759218.tif 000004
【図４】
0003759218.tif 000005
【図５】
0003759218.tif 000006
【図６】
0003759218.tif 000007
【図７】
0003759218.tif 000008
【図８】
0003759218.tif 000009